(57)【要約】【課題】医療デバイスのための好適な搭載インターフェースを提供すること。【解決手段】ラッチと、ラッチをラッチアセンブリに対して設定位置に係止するようにラッチを受け取るように構成されているラッチアセンブリであって、ラッチアセンブリは、ラッチを受け取るように構成されている不規則オリフィスを具備している筐体と、不規則オリフィスの第１の部分が第１のプラグの上に横たわるように筐体内に配置されている第１のプラグと、不規則オリフィスの第２の部分が第２のプラグの上に横たわるように第１のプラグに隣接して筐体内に配置されている第２のプラグとを含む、ラッチアセンブリとを含む搭載インターフェースが、説明される。そのような搭載インターフェースは、ラッチとラッチアセンブリの迅速かつ確実な係止を提供する。【選択図】図１
2020151495.tif 000002
【特許請求の範囲】
【請求項１】
ラッチを搭載インターフェースのラッチアセンブリに係止する方法であって、前記方法は、
ラッチを前記ラッチアセンブリのばね付勢された第１のプラグと係合するステップと、
前記ラッチを前記ばね付勢された第１のプラグに対して加圧し、前記ラッチを前記ラッチアセンブリの筐体の不規則オリフィスの第１の部分の中に挿入しながら、前記ばね付勢された第１のプラグをばね付勢された静止位置から第２の位置に移動させ、かつばね付勢された第２のプラグをばね付勢された静止位置から第２の位置に移動させることにより、前記ばね付勢された第１のプラグおよび前記ばね付勢された第２のプラグが互いに平行に移動するようにするステップと、
前記ラッチが前記ばね付勢された第２のプラグに対して加圧するが、前記ばね付勢された第１のプラグに対して加圧しないように、前記ラッチを前記不規則オリフィスの前記第１の部分から前記不規則オリフィスの第２の部分にスライドさせるステップと
を含む、方法。
【請求項２】
前記不規則オリフィスの前記第１の部分は、円形であり、前記不規則オリフィスの前記第２の部分は、非円形であり、前記ラッチが前記不規則オリフィスの前記第２の部分内にあるとき、前記ばね付勢された第２のプラグは、前記ラッチを前記筐体に対して押し付ける、請求項１に記載の方法。
【請求項３】
前記ばね付勢された第１のプラグが前記第２の位置から前記ばね付勢された静止位置に戻ると、前記ラッチを前記不規則オリフィスの前記第２の部分内に係止するステップをさらに含む、請求項１に記載の方法。
【請求項４】
前記ラッチを前記不規則オリフィスの前記第２の部分から解除するために、解除ボタンを加圧し、前記ばね付勢された第１のプラグに前記ばね付勢された静止位置から離れ、前記第２の位置に戻るように移動させるステップと、
前記ラッチを前記不規則オリフィスの前記第２の部分から前記不規則オリフィスの前記第１の部分にスライドさせるステップと、
前記ラッチを前記ラッチアセンブリの前記ばね付勢された第１のプラグから係合解除するステップと
をさらに含む、請求項３に記載の方法。
【発明の詳細な説明】
【技術分野】
【０００１】
本開示は、広義には、あるデバイスを別のデバイスに搭載するために使用される搭載インターフェースの分野に関する。より具体的には、本開示の分野は、心肺機械のフレームに搭載され得るような医療デバイスのための搭載インターフェースを対象とするように解釈され得る。
【背景技術】
【０００２】
ある種類のデバイスを別の種類のデバイスに搭載するために使用され得る、搭載インターフェースの必要性は、ますます高まっている。例えば、心肺機械の分野では、心臓ポンプ等の種々のデバイスが、圧縮リングクランプ留めアセンブリ等のコネクタを介して、心肺機械のフレームに搭載される。しかしながら、圧縮リングクランプ留めアセンブリを使用して構築されるコネクタは、フレームおよびグラウンドに対するコネクタの向きに応じて、使用が困難である。その結果、心臓ポンプ故障の場合、故障した心臓ポンプが新しくかつ動作可能な心臓ポンプと効率的に交換されるようにコネクタを容易かつ迅速に解除可能であり、新しい心臓ポンプが、可能な限り短時間に、かつ心肺機械のフレームに体する心臓ポンプの向きにかかわらずコネクタによってフレームに迅速かつ容易に固定され得ことが必要である。
【０００３】
さらに、圧縮リングクランプ留めアセンブリを採用するコネクタを組み立てるために使用される部品は、製造が安価ではなく、組立も安価ではない。したがって、製造が安価であり、かつその組立に関連付けられたコストを最小化するように組立も単純である、心肺機械のフレームに心臓ポンプを搭載し得るようなデバイスのための搭載インターフェースの必要性がある。本開示は、圧縮リングクランプ留めアセンブリの欠点を克服する、装置および方法を対象とする実施形態を説明することを対象とする。
【発明の概要】
【課題を解決するための手段】
【０００４】
本開示の非限定的実施形態によると、ラッチと、ラッチをラッチアセンブリに対して所定の位置に係止するようにラッチを受け取るように構成されるラッチアセンブリであって、ラッチアセンブリは、ラッチを受け取るように構成されている不規則オリフィスを具備している筐体と、不規則オリフィスの第１の部分が第１のプラグの上に横たわるように筐体内に配置されている第１のプラグと、不規則オリフィスの第２の部分が第２のプラグの上に横たわるように第１のプラグに隣接して筐体内に配置されている第２のプラグとを含む、ラッチアセンブリとを含む搭載インターフェースが、提供される。本開示の第２の非限定的実施形態によると、前述の第１の非限定的実施形態は、ラッチが設定位置に係止されると、ラッチが第１のプラグおよび第２のプラグと接触するように修正される。
【０００５】
本開示の第３の非限定的実施形態によると、第１および第２の非限定的実施形態は、第１のプラグおよび第２のプラグが互いに平行に横方向に移動可能であるように修正される。本開示の第４の非限定的実施形態によると、第１、第２、および第３の非限定的実施形態はさらに、第１のプラグおよび第２のプラグの各々が、筐体の外部表面に向かってばね付勢されるように修正される。本開示の第５の非限定的実施形態によると、第１、第２、第３、および第４の非限定的実施形態はさらに、ラッチがラッチアセンブリから係合解除されると、第１のプラグおよび第２のプラグの各々が、第１のプラグの少なくとも１つの表面および第２のプラグの少なくとも１つの表面が筐体の外部表面と実質的に同一平面となる位置にばね付勢されるように修正される。本開示の第６の非限定的実施形態によると、第１、第２、第３、第４、および第５の非限定的実施形態はさらに、第１のプラグの少なくとも１つの表面および第２のプラグの少なくとも１つの表面が筐体の外部表面と実質的に同一平面になると、第１のプラグが第２のプラグに当接するように修正される。本開示の第７の非限定的実施形態によると、第１、第２、第３、第４、第５、および第６の非限定的実施形態はさらに、ラッチが設定位置に係止されると、第１のプラグおよび第２のプラグが、互いに当接しないように修正される。
【０００６】
本開示の第８の非限定的実施形態によると、第１、第２、第３、第４、第５、第６、および第７の非限定的実施形態は、不規則オリフィスが、細長い部分と連続した円形部分を伴って成形されているキー孔であるように修正される。本開示の第９の非限定的実施形態によると、第１、第２、第３、第４、第５、第６、第７、および第８の非限定的実施形態はさらに、円形部分が、第１のプラグおよび第２のプラグの両方の上に横たわり、細長い部分が、第２のプラグの上に横たわっているが、第１のプラグの上に横たわらないように修正される。
【０００７】
本開示の第１０の非限定的実施形態によると、第１、第２、第３、第４、第５、第６、第７、第８、および第９の非限定的実施形態は、一端において第１のプラグに接続され、筐体に旋回可能に接続されている非線形リンクをさらに含むように修正される。本開示の第１１の非限定的実施形態によると、第１、第２、第３、第４、第５、第６、第７、第８、第９、第１０の非限定的実施形態はさらに、非線形リンクが、第２の端部において、圧力が解除ボタンに及ぼされると、解除ボタンが筐体の内部に向かって押し下げられ、非線形リンクが第１のプラグを不規則オリフィスの第１の部分から離れるように移動させるように旋回するように、解除ボタンに接続されるように修正される。本開示の第１２の非限定的実施形態によると、第１、第２、第３、第４、第５、第６、第７、第８、第９、第１０、および第１１の非限定的実施形態はさらに、非線形リンクが、大寸法の曲がり部分によって小寸法の曲がり部分に接続されている線形部分を備えているように修正される。本開示の第１３の非限定的実施形態によると、第１、第２、第３、第４、第５、第６、第７、第８、第９、第１０、第１１、および第１２の非限定的実施形態はさらに、ラッチが円筒形であり、ネック部分を含み、ネック部分は、ネック部分に接続されているヘッド部分の直径より小さい直径を有し、ヘッド部分の直径が不規則オリフィスの円形部分の直径より小さく、ヘッド部分の直径が不規則オリフィスの細長い部分の最大幅より大きいように修正される。
【０００８】
本開示の第１４の非限定的実施形態によると、フレームと、フレームに接続される搭載インターフェースとを含み、搭載インターフェースが、本開示の第１、第２、第３、第４、第５、第６、第７、第８、第９、第１０、第１１、第１２、および第１３の非限定的実施形態のいずれか１つに記載の搭載インターフェースである心肺機械が、提供される。本開示の第１５の非限定的実施形態によると、第１４の非限定的実施形態は、ラッチがフレームに接続され、ラッチアセンブリが医療デバイスに接続されるか、またはラッチが医療デバイスに接続され、ラッチアセンブリがフレームに接続されるように修正される。本開示の第１６の非限定的実施形態によると、第１４および第１５の非限定的実施形態はさらに、医療デバイスが、遠心分離機血液ポンプ、静脈リザーバ、酸素供給器、静脈クランプおよび医療グラフィカルユーザインターフェースディスプレイ装置から成る群から選択されるように修正される。
【０００９】
本開示の第１７の非限定的実施形態によると、（ａ）ラッチをラッチアセンブリのばね付勢された第１のプラグと係合するステップと、（ｂ）ばね付勢された第１のプラグをばね付勢された静止位置から第２の位置に移動させながら、かつばね付勢された第２のプラグをばね付勢された静止位置から第２の位置に移動させながら、ラッチをラッチアセンブリの筐体の不規則オリフィスの第１の部分の中に挿入するように、ラッチをばね付勢された第１のプラグに対して加圧するステップと、（ｃ）ラッチがばね付勢された第２のプラグに対して加圧するが、ばね付勢された第１のプラグに対して加圧しないように、ラッチを不規則オリフィスの第１の部分から不規則オリフィスの第２の部分にスライドさせるステップとを含むラッチを搭載インターフェースのラッチアセンブリに係止する方法が、提供される。本開示の第１８の非限定的実施形態によると、第１７の非限定的実施形態はさらに、不規則オリフィスの第１の部分が円形であり、不規則オリフィスの第２の部分が非円形であり、ラッチが不規則オリフィスの第２の部分内にあるとき、ばね付勢された第２のプラグが、ラッチを筐体に対して押し付けるように修正される。本開示の第１９の非限定的実施形態によると、第１７および第１８の非限定的実施形態は、方法がさらに、ばね付勢された第１のプラグが第２の位置からばね付勢された静止位置に戻ると、ラッチを不規則オリフィスの第２の部分内に係止するステップを含むように修正される。本開示の第２０の非限定的実施形態によると、第１７、第１８、および第１９の非限定的実施形態はさらに、方法がさらに、ラッチを不規則オリフィスの第２の部分から解除するために、ばね付勢された第１のプラグにばね付勢された静止位置から離れ、第２の位置に戻るように移動させるように、解除ボタンを押すステップと、ラッチを不規則オリフィスの第２の部分から不規則オリフィスの第１の部分にスライドさせるステップと、ラッチをラッチアセンブリのばね付勢された第１のプラグから係合解除するステップとを含むように修正される。
本明細書は、例えば、以下の項目も提供する。
（項目１）
搭載インターフェースであって、前記搭載インターフェースは、
ラッチと、
前記ラッチを受け取り、前記ラッチをラッチアセンブリに対して設定位置に係止するように構成されているラッチアセンブリと
を備え、
前記ラッチアセンブリは、
前記ラッチを受け取るように構成されている不規則オリフィスを具備している筐体と、
前記筐体内に配置されている第１のプラグであって、前記不規則オリフィスの第１の部分が、前記第１のプラグの上に横たわっている、第１のプラグと、
前記第１のプラグに隣接して前記筐体内に配置されている第２のプラグであって、前記不規則オリフィスの第２の部分が、前記第２のプラグの上に横たわっている、第２の部分と
を含む、搭載インターフェース。
（項目２）
前記ラッチが前記設定位置に係止されると、前記ラッチは、前記第１のプラグおよび前記第２のプラグと接触する、項目１に記載の搭載インターフェース。
（項目３）
前記第１のプラグおよび前記第２のプラグは、互いに平行に横方向に移動可能である、項目１に記載の搭載インターフェース。
（項目４）
前記第１のプラグおよび前記第２のプラグの各々は、前記筐体の外部表面に向かってばね付勢されている、項目３に記載の搭載インターフェース。
（項目５）
前記ラッチが前記ラッチアセンブリから係合解除されると、前記第１のプラグおよび前記第２のプラグの各々は、前記第１のプラグの少なくとも１つの表面および前記第２のプラグの少なくとも１つの表面が前記筐体の外部表面と実質的に同一平面となる位置にばね付勢される、項目４に記載の搭載インターフェース。
（項目６）
前記第１のプラグの前記少なくとも１つの表面および前記第２のプラグの前記少なくとも１つの表面が前記筐体の外部表面と実質的に同一平面になると、前記第１のプラグは、前記第２のプラグに当接する、項目５に記載の搭載インターフェース。
（項目７）
前記ラッチが前記設定位置に係止されると、前記第１のプラグおよび前記第２のプラグは、互いに当接しない、項目６に記載の搭載インターフェース。
（項目８）
前記不規則オリフィスは、細長い部分と連続した円形部分を伴って成形されているキー孔である、項目１に記載の搭載インターフェース。
（項目９）
前記円形部分は、前記第１のプラグおよび前記第２のプラグの両方の上に横たわり、前記細長い部分は、前記第２のプラグの上に横たわっているが、前記第１のプラグの上に横たわっていない、項目８に記載の搭載インターフェース。
（項目１０）
一端において前記第１のプラグに接続され、前記筐体に旋回可能に接続されている非線形リンクをさらに備えている、項目１に記載の搭載インターフェース。
（項目１１）
前記非線形リンクは、第２の端部において、解除ボタンに接続され、それによって、圧力が前記解除ボタンに及ぼされると、前記解除ボタンは、筐体の内部に向かって押し下げられ、前記非線形リンクは、前記第１のプラグを前記不規則オリフィスの第１の部分から離れるように移動させるように旋回する、項目１０に記載の搭載インターフェース。
（項目１２）
前記非線形リンクは、大寸法の曲がり部分によって小寸法の曲がり部分に接続されている線形部分を備えている、項目１１に記載の搭載インターフェース。
（項目１３）
前記ラッチは、円筒形であり、ネック部分を含み、前記ネック部分は、前記ネック部分に接続されているヘッド部分の直径より小さい直径を有し、前記ヘッド部分の直径は、前記不規則オリフィスの前記円形部分の直径より小さく、前記ヘッド部分の直径は、前記不規則オリフィスの前記細長い部分の最大幅より大きい、項目８に記載の搭載インターフェース。
（項目１４）
心肺機械であって、前記心肺機械は、
フレームと、
前記フレームに接続されている項目１に記載の搭載インターフェースと
を備えている、心肺機械。
（項目１５）
前記ラッチは、前記フレームに接続され、前記ラッチアセンブリが、医療デバイスに接続されるか、または、前記ラッチは、前記医療デバイスに接続され、前記ラッチアセンブリが、前記フレームに接続されている、項目１４に記載の心肺機械。
（項目１６）
前記医療デバイスは、遠心分離機血液ポンプ、静脈リザーバ、酸素供給器、静脈クランプ、および医療グラフィカルユーザインターフェースディスプレイ装置から成る群から選択される、項目１５に記載の心肺機械。
（項目１７）
ラッチを搭載インターフェースのラッチアセンブリに係止する方法であって、前記方法は、
ラッチを前記ラッチアセンブリのばね付勢された第１のプラグと係合するステップと、
前記ラッチを前記ばね付勢された第１のプラグに対して加圧し、前記ラッチを前記ラッチアセンブリの筐体の不規則オリフィスの第１の部分の中に挿入しながら、前記ばね付勢された第１のプラグをばね付勢された静止位置から第２の位置に移動させ、かつばね付勢された第２のプラグをばね付勢された静止位置から第２の位置に移動させるステップと、
前記ラッチが前記ばね付勢された第２のプラグに対して加圧するが、前記ばね付勢された第１のプラグに対して加圧しないように、前記ラッチを前記不規則オリフィスの第１の部分から前記不規則オリフィスの第２の部分にスライドさせるステップと
を含む、方法。
（項目１８）
前記不規則オリフィスの前記第１の部分は、円形であり、前記不規則オリフィスの前記第２の部分は、非円形であり、前記ラッチが前記不規則オリフィスの前記第２の部分内にあるとき、前記ばね付勢された第２のプラグは、前記ラッチを前記筐体に対して押し付ける、項目１７に記載の方法。
（項目１９）
前記ばね付勢された第１のプラグが前記第２の位置から前記ばね付勢された静止位置に戻ると、前記ラッチを前記不規則オリフィスの第２の部分内に係止するステップをさらに含む、項目１７に記載の方法。
（項目２０）
前記ラッチを前記不規則オリフィスの前記第２の部分から解除するために、解除ボタンを加圧し、前記ばね付勢された第１のプラグに前記ばね付勢された静止位置から離れ、前記第２の位置に戻るように移動させるステップと、
前記ラッチを前記不規則オリフィスの前記第２の部分から前記不規則オリフィスの前記第１の部分にスライドさせるステップと、
前記ラッチを前記ラッチアセンブリの前記ばね付勢された第１のプラグから係合解除するステップと
をさらに含む、項目１９に記載の方法。
【図面の簡単な説明】
【００１０】
【図１】図１は、本開示のある実施形態による、搭載インターフェースの断面図であり、ラッチは、ラッチアセンブリから係合解除された状態で示される。
【図２】図２は、図１に示される搭載インターフェースの断面図であり、ラッチは、ラッチアセンブリと係合された状態で示される。
【図３】図３は、図１に示される搭載インターフェースの断面図であり、ラッチは、第２の位置と第３の位置との間にある。
【図４】図４は、図１に示される搭載インターフェースの断面図であり、ラッチは、第３の位置にあって、第１のプラグは、ばね付勢された静止位置にある。
【図５】図５は、図１に示される搭載インターフェースの断面図であり、ラッチは、第３の位置にあって、係止解除アセンブリは、第１のプラグが緊張ばね位置になるようにアクティブ化されている。
【図６】図６は、本開示のラッチ実施形態の斜視図である。
【図７】図７は、本開示のある実施形態による、不規則オリフィスの実施形態およびラッチに対するそのサイズ関係を図示する、概略図である。
【図８】図８は、非限定的環境において展開される、本開示のある実施形態による、搭載インターフェースの斜視図である。
【図９】図９は、医療デバイスに接続されるラッチアセンブリの正面３次元図である。
【発明を実施するための形態】
【００１１】
本開示による種々の実施形態が、図を参照して説明され、同様の部品は、同様の参照番号によって指定される。本明細書に説明される図面は、非限定的例証を構成する。
【００１２】
図１から５に示されるように、搭載インターフェース１０は、互いに係合し、続いて、互いから係合解除し得る、ラッチ１２と、ラッチアセンブリ１４とを含む。本開示のある実施形態によると、ラッチ１２は、心肺機械等の第１の医療デバイスのフレーム１６に接続され、ラッチアセンブリ１４は、心臓ポンプ等の第２の医療デバイスの筐体１８に接続されるか、またはその筐体と一体型に作製される。本開示のある実施形態によると、ラッチは、第２の医療デバイスの筐体に接続され、ラッチアセンブリは、第２の医療デバイスのフレームに接続されるか、またはそのフレームと一体型に作製される。第１の医療デバイスおよび第２の医療デバイスに関して提供される例は、単に、例証的であり、いかようにも限定的ではない。実際、本開示によると、搭載インターフェース１０は、２つの非医療デバイスを一緒に搭載するか、２つの医療デバイスを一緒に搭載するか、もしくは非医療デバイスと医療デバイスとを一緒に搭載するために使用され得る。
【００１３】
ラッチアセンブリ１４は、図４に示されるように、ラッチをラッチアセンブリに対して設定位置に係止するように、ラッチ１２を受け取るように構成される。この係止接続を達成するために、ラッチアセンブリ１４は、第２のデバイスの筐体１８または第１のデバイスのフレームに接続されるか、それと一体型であるか、もしくはその一部であるかのいずれかである筐体２０を具備する。筐体２０は、その中に形成され、ラッチ１２を受け取るように構成されている不規則オリフィス２２を具備する。ある実施形態では、不規則オリフィス２２は、キー孔形状を有し、それは、第２の細長い部分２６と連続的である第１の部分２４を含むことを意味する。ある実施形態では、細長い部分は、その幅を上回る長さを有し、第１の部分２４は、円形である。第１の部分２４は、円形として図面に図示される。しかしながら、三角形形状、正方形形状、長方形形状、または任意の好適な多角形形状等の他の形状を有し得る。第１の円形部分２４は、その直径がラッチ１２のヘッド部分２８の直径より大きくなるように寸法を決定される。ラッチ１２は、図６に示されるように、ヘッド部分２８をベース部分３２に接続するネック部分３０を含む。ネック部分３０は、本開示に後に説明されるであろう理由から、ラッチ１２のヘッド部分２８より小さい直径を有する。ネック部分３０の直径は、ネック部分３０が細長い部分２６内をスライドし得るように、不規則オリフィス２２の細長い部分２６の最小幅より小さくなるように寸法を決定される。細長い部分２６は、テーパを含むように構築され得るか、またはテーパを伴わずに構築され得る。一方、ヘッド部分２８は、その直径が、不規則オリフィス２２の細長い部分２６の最大幅より実質的に大きく、ヘッド部分２８が空洞３４内にあるとき、ヘッド部分２８が細長い部分２６を通してすり抜けることができないように寸法を決定される。
【００１４】
ラッチアセンブリ１４はさらに、筐体２０内に形成される空洞３４内に配置される、２つの移動可能プラグを含む。第１のプラグ３６は、不規則オリフィス２２の第１の部分２４が第１のプラグの上に横たわるように筐体２０内に配置され、第２のプラグ３８は、不規則オリフィス２２の第２の部分２６が第２のプラグ３８の上に横たわるように、第１のプラグ３６に隣接して筐体２０内に配置される。図面から明白であるように、不規則オリフィス２２の第１の部分２４の一部はまた、第２のプラグ３８の一部の上に横たわり得る。本開示のある実施形態によると、第２の部分２６の一部は、第１のプラグ３６の一部の上に横たわり得る。
【００１５】
第１のプラグ３６および第２のプラグ３８の各々は、図１に示されるように、それ自身の付勢ばね４０によってばね付勢された静止位置に向かってばね付勢される。付勢ばね４０は、図示される実施形態では、コイルばねとして示されるが、任意のタイプのばねが、含まれ得ることを理解されたい。さらに、用語「ばね」は、付勢力を与えるように構成される任意の要素、構成要素、またはデバイスを含むように意図され、コイルばね、板ばね、ねじりばね、発泡体ブロック等の弾性的に変形可能かつ弾力的な材料の一部、加圧チャンバ、プラグを誘引／反発するように配置される磁石等であるか、またはそれらを含み得る。第１のプラグ３６がばね付勢された静止位置にあるとき、その外部表面の少なくとも一部４２は、筐体２０の外部表面４６と実質的に同一平面にある。第２のプラグ３８がばね付勢された静止位置にあるとき、その外部表面の少なくとも一部４４は、筐体２０の外部表面４６と実質的に同一平面にある。第１のプラグ３６および第２のプラグ３８が、図１に示されるように、一緒にばね付勢された静止位置にあり、外部表面４６と実質的に同一平面にあるとき、第１のプラグ３６および第２のプラグ３８は、血液、他の体液、ならびに／または他の物質が空洞３４に進入することを防止するために、一緒に栓をし、不規則オリフィス２２を実質的に塞ぐ。第１のプラグ３６を筐体２０の外部表面４６に向かって付勢するばね４０は、筐体２０内に部分的に形成され、かつ第１のプラグ３６内に部分的に形成されるチャネル内に配置され得る。第２のプラグ３８を筐体２０の外部表面４６に向かって付勢するばね４０は、筐体２０内に部分的に形成され、かつ第２のプラグ３８内に部分的に形成されるチャネル内に配置され得る。
【００１６】
図１および２から明白であるように、ばね付勢されたプラグ３６、３８の各々は、不規則オリフィス２２の平面を横断し、互いに平行である方向に移動可能である。第１のプラグ３６は、テール部分５２に接続されるヘッド部分５０を有し、Ｏリング等のシール５５を具備する、筐体２０内に形成されるチャネル５４内を移動するように配置される。第２のプラグ３８は、テール部分５８に接続されるヘッド部分５６を有し、Ｏリング等のシール６２を具備する、筐体２０内に形成されるチャネル６０内を移動するように配置される。シール５５および６２は、血液、他の流体、ならびに他の物質がラッチアセンブリ１４の空洞３４を越えて透過することを防止する。
【００１７】
ラッチ１２がラッチアセンブリ１４から係合解除されると、第１のプラグ３６および第２のプラグ３８の各々は、第１のプラグの少なくとも１つの表面４２および第２のプラグの少なくとも１つの表面４４が筐体２０の外部表面４６と実質的に同一平面にある位置（すなわち、第１の位置とも称され得るばね付勢された静止位置）にばね付勢される。第１のプラグ３６の少なくとも１つの表面４２および第２のプラグ３８の少なくとも１つの表面４４が筐体の外部表面４６と実質的に同一平面にあるとき、第１のプラグ３６は、第２のプラグ３８に当接する。第１のプラグ３６のヘッド５０は、ばね付勢された静止位置に停止するように第１のプラグ３６の移動を限定するために、不規則オリフィスを形成する筐体２０一部に係合するリップ６４を具備する。第２のプラグ３８のヘッド５６は、ばね付勢された静止位置に停止するように第２のプラグ３８の移動を限定するために、不規則オリフィスを形成する筐体２０の別の部分に係合するリップ６６を具備する。
【００１８】
ラッチ１２が、不規則オリフィス２２の第１の部分２４と整列させられると、ラッチ１２は、図２に示されるように、ヘッド５０を加圧し、第１のプラグ３６を空洞３４の中にさらに押し、それによって、ばね４０を圧縮し、テール部分５２を筐体２０内に形成されるチャネル５４内で移動させるように、第１のプラグ３６のヘッド５０に係合し得る。これが生じると、第２のプラグ３８は、第２のプラグ３８が、ヘッド５６から第１のプラグ３６のヘッド５０の下に延びている延長部６８を含むので、第１のプラグ３６とともに移動する。その結果、ラッチ１２が第１のプラグ３６を横方向に空洞３４の中にさらに押すと、第１のプラグ３６のヘッド５０は、第２のプラグ３８の延長部３８に係合し、第２のプラグ３８を横方向にそれとともに押す。第１のプラグ３６および第２のプラグ３８は、図２に示されるように、ラッチ１２によって、第１のプラグ３６のヘッド５０および第２のプラグ３８のヘッド５６がラッチ１２によって空洞３４の床７０に対して押し付けられている第２の位置と称され得る、緊張ばね位置まで横方向に移動させられ得る。この緊張ばね位置では、ばね４０の各々は、より大きな緊張の構成、すなわち、圧縮された構成にさせられている。
【００１９】
第１のプラグ３６および第２のプラグ３８が、ラッチ１２によって、緊張ばね位置に押されると、第２の位置にあるラッチ１２のヘッド部分２８は、空洞３４内に位置付けられ、第１のプラグ３６および第２のプラグ３８のヘッド５０および５６上をスライドすることによって、側方に移動するための位置にある。ラッチ１２がヘッド５０、５６上をスライドさせられると、ラッチ１２は、不規則オリフィス２２の第１の部分２４から不規則オリフィス２２の細長い部分２６の中に移動する。特に、ラッチ１２は、そのネック部分３０が不規則オリフィス２２内に位置付けられ、そのヘッド部分２８が空洞３４内に位置付けられ、そのベース部分３２が筐体２０の外部表面４６上に配置された状態で、側方にスライドする。この位置付けにより、ラッチ１２は、不規則オリフィス２２から飛び出ることなく、不規則オリフィス２２の細長い部分２６内を側方に移動可能である。実際、ラッチ１２が不規則オリフィス２２の細長い部分２６の中に移動すると、ラッチ１２のヘッド部分２８は、筐体２０によって、より具体的には、筐体の１つ以上の壁によって捉えられ、細長い部分２６から直接除去されることができない。ラッチ１２および不規則オリフィス２２の幾何学形状に照らして、ラッチ１２のヘッド部分２８は、ヘッド部分２８が第２の位置（図２）にあるとき等、ラッチ１２が不規則オリフィス２２の第１の部分２４内に実質的に配置されているときのみ、空洞３４から除去され得る。
【００２０】
図２、３、および４は、第２の位置から、第３の位置と称され得る、空洞３４内の最大側方移動の位置に移動するラッチ１２を図示する。ラッチ１２のヘッド部分２８が第２の位置から第３の位置に移動するにつれて、ヘッド部分２８は、ラッチ１２のヘッド部分２８によって及ぼされる加圧力が第１のプラグ３６のヘッド５０から第２のプラグ３８のヘッド５６に転移させられるように、ヘッド５０、５６に沿ってスライドする。したがって、ラッチ１２が、図４に示されるように、第３の位置に到達すると、ラッチ１２のヘッド部分２８は、第２のプラグ３８のヘッド５６に係合し、第１のプラグ３６のヘッド５０に係合しない。その結果、第３の位置では、ラッチ１２は、第２のプラグ３８を緊張ばね位置に維持するように、第２のプラグ３８のヘッド５６を押す。しかしながら、第１のプラグ３６は、ばね付勢された静止位置に戻ることが自由であり、そうなる。
【００２１】
したがって、ラッチ１２のヘッド部分２８が第３の位置にあるとき、第１のプラグ３６は、そのばね４０によって、ばね付勢された静止位置に戻され、それによって、不規則オリフィス２２の第１の部分２４に栓をし、ラッチ１２を不規則オリフィス２２の細長い部分２６内に係止する。このように、ラッチ１２のヘッド部分２８は、ラッチ１２がラッチアセンブリ１４にしっかりと掛止されるように、空洞３４内に係止される。さらに、第１のプラグ３６のヘッド５０およびラッチ１２のベース部分３２は、不規則オリフィス２２を塞ぎ、血液、他の体液、および／または他の物質が空洞３４に進入することを防止するように、互いに当接する。ラッチ１２をラッチアセンブリ１４から掛止解除するために、ラッチアセンブリ１４は、係止解除アセンブリ８０を具備する。
【００２２】
係止解除アセンブリ８０は、筐体２０に旋回可能に接続され、一端において、第１のプラグ３６のテール部分５２に、別の端部において、解除ボタン８４に接続されるリンク部材８２を含む。旋回ピン８６は、リンク部材８２を筐体２０に旋回可能に接続するために使用され、ピン８８および９０は、それぞれ、リンク部材８２を第１のプラグ３６のテール部分５２および解除ボタン８４に接続するために使用される。リンク部材８２は、非線形であり得、それは、大寸法の曲がり部分９６によって小寸法の曲がり部分９４に接続される、線形部分９２を含んでもよく、大寸法の曲がり部分９６の曲率半径は、小寸法の曲がり部分９４の曲率半径が向けられたリンク部材８２の側と反対のリンク部材８２の側に向けられている。小寸法の曲がり部分９４は、丸孔よりもピン８８のための移動におけるあそびを提供するために、その中に形成されたスロット９８を具備し得、その中をピン８８が延びている。
【００２３】
図４および５から明白であるように、外部圧力Ｐが、解除ボタン８４を筐体２０内に形成されるチャネル１００の中に押すように、解除ボタン８４に加えられると、リンク部材８２は、旋回ピン８６の周りに時計回りに回転させられ、それは、第１のプラグ３６のテール部分５２に接続されるリンク部材８２の端部に、第１のプラグをばね付勢された静止位置から緊張ばね位置に引き込ませる。その結果、第１のプラグ３６のヘッド５０は、ラッチ１２が、第２のプラグ３８のヘッド５６の上を、次いで、第１のプラグ３６のヘッド５０の上をスライドすることによって、不規則オリフィス２２の細長い部分２６から第１の部分２４に自由にスライドするように、不規則オリフィス２２の第１の部分２４から移動させられる。
【００２４】
したがって、第１のプラグ３６が、係止解除アセンブリ８０の圧力活性化によって、ばね付勢された静止位置から緊張ばね位置に移動させられた後、ラッチ１２は、図５から明白であるように、第３の位置にもはや係止されず、第３の位置から第２の位置に自由に戻る。ラッチ１２が第２の位置にあると、図７に示されるように、不規則オリフィス２２の第１の部分２４がラッチ１２のヘッド部分２８よりサイズが大きいので、ラッチ１２を空洞３４および不規則オリフィス２２から除去することが可能である。
【００２５】
図８および９は、重量のある心臓ポンプ等の医療デバイス２００を心肺バイパス機械のフレーム２０２に搭載するように採用される、本開示のある実施形態による、搭載インターフェース１０を図示する。医療デバイス２００は、遠心分離機ポンプ等の心臓ポンプに限定されず、静脈リザーバ、酸素供給器、静脈クランプ、または付属の台であり得る。したがって、搭載インターフェース１０は、そのような実質的に異なる医療デバイスを、複数のラッチ１２を具備する、心肺バイパス機械のフレーム２０２上の異なる場所に搭載することを可能にし、それによって、そのような医療デバイスを心肺バイパス機械のフレーム２０２上に構成することに関して、相互交換性および柔軟性を可能にする。本開示のある実施形態によると、デバイス２００は、医療デバイスである必要はなく、フレーム２０２も、心肺バイパス機械、または他の心肺機械のフレームである必要はない。本開示のある実施形態によると、搭載インターフェース１０は、あるデバイスを別のデバイスのフレームに搭載するための必要性がある任意の環境において展開可能である。
【００２６】
システムおよび方法が、本開示内のある実施形態を参照して説明されたが、当業者は、追加、削除、代用、および改良が、添付の請求項によって定義される本発明の範囲ならびに精神に留まりながら行われ得ることを認識するであろう。
【図１】
2020151495.tif 000003
【図２】
2020151495.tif 000004
【図３】
2020151495.tif 000005
【図４】
2020151495.tif 000006
【図５】
2020151495.tif 000007
【図６】
2020151495.tif 000008
【図７】
2020151495.tif 000009
【図８】
2020151495.tif 000010
【図９】
2020151495.tif 000011
【外国語明細書】
2020151495000001.pdf